Podtech/llm-jp-corpus-v4-ja_patent huggingface dataset:
【事件の表示】
　特許第６３５６１３０号発明「ホスト化合物およびドーパント化合物の新規組み合わせおよびそれを含む有機エレクトロルミネセンスデバイス」の特許異議申立事件について、次のとおり決定する。
【結　論】
　特許第６３５６１３０号の特許請求の範囲を、訂正請求書に添付された訂正特許請求の範囲のとおり、訂正後の請求項〔１〜７〕について訂正することを認める。 
　特許第６３５６１３０号の請求項１〜４、７に係る特許を取り消す。 
　特許第６３５６１３０号の請求項５、６に係る特許についての特許異議の申立てを却下する。
【理　由】
　特許第６３５６１３０号の特許請求の範囲について、令和元年７月２２日になされた訂正は、特許法第１２０条の５第２項ただし書第１号に掲げる特許請求の範囲の減縮を目的とするものであり、かつ、同条第９項において準用する同法第１２６条第５項及び第６項の規定に適合するものであるから、当該特許請求の範囲を、訂正請求書に添付された訂正特許請求の範囲のとおり、訂正後の請求項〔１〜７〕について訂正することを認める。
　
　当審は、令和元年１１月２６日付けの取消理由通知（決定の予告）において、上記訂正後の特許請求の範囲の請求項１〜４、７に係る特許は、特許法第３６条第６項及び第４項第１号に規定する要件を満たしていない特許出願に対してされたものであり、かつ、同法第２９条の規定に違反してされたものであるから、同法第１１３条第４号及び第２号に該当するため、取り消すべきものである旨通知し、期間を指定して意見書を提出する機会を与えたが、特許権者からは応答がなかった。
　そして、上記の取消理由は妥当なものと認められるので、本件請求項１〜４、７に係る特許は、この取消理由によって取り消すべきものである。   
　また、上記訂正により、特許請求の範囲の請求項５、６は削除されたため、これらの請求項に対する特許異議の申立ては、対象が存在しないものとなったので、特許法第１２０条の８第１項において準用する同法第１３５条の規定により却下する。
　よって、結論のとおり決定する。
【異議決定日】
令和２年３月２５日（２０２０．３．２５）
【訂正の要旨】
審決（決定）の【理由】欄参照。
（５７）【特許請求の範囲】
　【請求項１】
　次式１により表される１つ以上のドーパント化合物、およ
び１
、前記１つ以上のホスト化合物が、
　【化１】
　【化２】
からなる群から選択される、
　【化３】
　式中、
　
前記構造
　【化４】
は、
　【化５】
からなる群から選択され、
　Ｌは次の構造から選択される：
　【化６】
　
Ｒ２０１およびＲ２０２はＣＨ３であり、およびＲ２０３は水素であり
　ｎは１〜３の整数を表す
。
　【請求項２】
　式１により表される前記化合物は
、
　【化７】
からなる群から選択される、
　【請求項３】
　
式１により表される前記化合物は、
　【化８】
からなる群から選択され、および
ホスト
、
　【化９】
からなる群から選択される、
　【請求項４】
　
式１により表される前記化合物は、
　【化１０】
からなる群から選択され、および前記ホスト化合物は、
　【化１１】
からなる群から選択される、
　【請求項５】
（削除）
　【請求項６】
（削除）
　【請求項７】
　
式１により表される前記化合物は、
　【化１２】
からなる群から選択され、および前記ホスト化合物は、
　【化１３】
からなる群から選択される、請求項１記載の組み合わせ物。
【事件の表示】
　特許第６５６３９９７号発明「端末装置及び眼科システム」の特許異議申立事件について、次のとおり決定する。
【結　論】
　特許第６５６３９９７号の請求項１及び２に係る特許を取り消す。
【理　由】
　特許第６５６３９９７号の請求項１及び２に係る特許についての出願は、平成２４年１１月２７日に出願された特願２０１２−２５８８９４号の一部を、平成２８年５月２５日に新たに出願した特願２０１６−１０４５６２号の一部を、さらに平成２９年９月２７日に特願２０１７−１８６５０３号として新たに出願したものであって、令和元年８月２日に特許権の設定登録がされ、同月２１日に特許掲載公報が発行され、その後、その請求項１及び２に係る発明の特許に対して、令和２年２月２１日に特許異議申立人向山正一により特許異議の申立てがされたものである。
　また、特許第６５６３９９７号の請求項１及び２に係る発明は、願書に添付した特許請求の範囲の請求項１及び２に記載された事項により特定されるとおりのものであると認める。
　これに対して、令和２年５月１９日付けで取消理由を通知し、期間を指定して意見書を提出する機会を与えたが、特許権者からは応答がなかった。
　そして、上記の取消理由は妥当なものと認められるので、本件請求項１及び２に係る特許は、この取消理由によって取り消すべきものである。
　よって、結論のとおり決定する。
【異議決定日】
令和２年８月２１日（２０２０．８．２１）
(57)【要約】
【課題】使用面を二種類の作業に使用することができるようにした布巾を提供する。
【解決手段】使用面（１）を第一使用面（３）と第二使用面（５）とにより構成し、該第一使用面（３）と第二使用面（５）とを相互に異なる素材により形成したことを特徴とする布巾。袋状体の外面を使用面（１）とし、該使用面（１）を第一使用面（３）と第二使用面（５）とにより構成し、該第一使用面（３）と第二使用面（５）とを相互に異なる素材により形成したことを特徴とする布巾。
【選択図】図１
0003099705.tif 000002
【実用新案登録請求の範囲】
【請求項１】
　使用面を第一使用面と第二使用面とにより構成し、該第一使用面と第二使用面とを相互に異なる素材により形成したことを特徴とする布巾。
【請求項２】
袋状体の外面を使用面とし、該使用面を第一使用面と第二使用面とにより構成し、該第一使用面と第二使用面とを相互に異なる素材により形成したことを特徴とする布巾。
【考案の詳細な説明】
【技術分野】
【０００１】
　本考案は、布巾に関するものであり、特に調理器具、冷蔵庫の内外、流し台、ガスレンジ、床等の被拭き取り体の汚れを拭き取るための布巾に係るものである。
【０００２】
　本明細書において「被拭き取り体」とは、布巾により汚れを拭き取る対象物をいうものとし、該対象物には例えば前記調理器具、冷蔵庫の内外、流し台、ガスレンジ、床等が含まれる。
【背景技術】
【０００３】
　布巾としては、一般に布の小片が使用されている。
【０００４】
　本出願人は、実用新案登録第３０７２５４３号においてガラス拭きを提供している。このガラス拭きは、一端を開口した布製袋状体の内面にスポンジ層を設け、該スポンジ層の内面に網状体を設け、該布製袋状体とスポンジ層と網状体とをキルティング加工により一体化してなるものである。
【特許文献１】実用新案登録第３０７２５４３号公報（請求項１）
【考案の開示】
【考案が解決しようとする課題】
【０００５】
　しかるに、上記従来の布の小片及びガラス拭きにおいては、使用面の全体が単一の素材により形成されているため、当該使用面は、専ら同一種類の拭き取り作業にのみ使用することができるに留まり、例えばひどい汚れを掻き落した後、拭き仕上げを行なうというような二種類の作業には使用することができないという問題がある。
【０００６】
　このような状況に鑑み、本考案は、使用面を二種類の作業に使用することができるようにした布巾を提供しようとしてなされたものである。
【課題を解決するための手段】
【０００７】
　上記課題を解決するために、本考案は下記の布巾を提供するものである。
【０００８】
（１）使用面を第一使用面と第二使用面とにより構成し、該第一使用面と第二使用面とを相互に異なる素材により形成したことを特徴とする布巾（請求項１）。
【０００９】
（２）袋状体の外面を使用面とし、該使用面を第一使用面と第二使用面とにより構成し、該第一使用面と第二使用面とを相互に異なる素材により形成したことを特徴とする布巾（請求項２）。
【００１０】
［作用］
［請求項１の考案］
　第一使用面と第二使用面とが相互に異なる素材により形成されているため、該第一使用面と第二使用面とを相互に異なる作業に使用することができる。例えば、第一使用面を拭き仕上げ作業に適した素材により形成し、第二使用面をひどい汚れを掻き落す作業に適した素材により形成する。この場合には、第二使用面によりひどい汚れを掻き落した後、第一使用面により拭き仕上げを行なってもよいが、第二使用面による掻き落し作業と第一使用面による拭き仕上げ作業とを同時に行なってもよい。
【００１１】
［請求項２の考案］
　請求項２の布巾は袋状体をなしている。請求項２の布巾は、袋状体の内部に手を挿入した状態で使用する点を除き、前記請求項１の布巾と同様の作用を有する。
【考案の効果】
【００１２】
　本考案による布巾においては、第一使用面と第二使用面とが相互に異なる素材により形成されているため、該第一使用面と第二使用面とを相互に異なる作業に同時に又は順次に使用することができる。即ち、二種類の異なる作業に二種類の異なる布巾を使用する必要はない。従って、本考案による布巾は使い勝手がよく、作業能率が高い。また、使用面を第一使用面と第二使用面とにより構成したため、該使用面のデザイン上の面白さがあり、購入者の目を引くという効果も発揮される。
【考案を実施するための最良の形態】
【００１３】
　図１〜図４に示す事例について説明する。
【００１４】
　符号１に示すものは布巾の使用面である。使用面１を第一使用面３と第二使用面５とにより構成する。第一使用面３と第二使用面５とを相互に異なる素材により形成する。
【００１５】
　第一使用面３は、例えば拭き仕上げ作業に適した素材により形成する。この素材としては、一例として、綿ないしポリエステルとナイロンとの混紡の異形断面を備えた極細繊維（マイクロファイバー）を使用する。第一使用綿３は、例えば織物であっても編み物であっても差し支えない。
【００１６】
　第二使用面５は、例えばひどい汚れを掻き落す作業に適した素材により形成する。この素材としては、例えばポリエステルフィルムの細片をベース上に植設してなるものが使用される。また、作業により第二使用面５を毛、レーヨン等により形成してもよい。第二使用面５は、例えば織物であっても編み物であっても差し支えない。
【００１７】
　第二使用面５は、一例として第一使用面３上に縫着する。図１に示す事例においては、第二使用面５は第一使用面３上にポケット状に縫着されており、使用者は第二使用面５と第一使用面３との間の隙間７に手を入れて使用してもよい。
【００１８】
　布巾には適宜吊下げ紐９を備えさせてもよい。
【００１９】
　図４に示す事例においては、第一使用面３は第二使用面５上に折り畳むことができる。
【００２０】
　次に、図５に示す事例について説明する。
【００２１】
　図５に示す布巾は袋状体をなしており、使用者は該袋状体の内部１１に手を挿入して使用する。
【００２２】
　この事例においては、袋状体の外面を使用面１とするが、その他の点においては前記事例と同様である。即ち、使用面１を第一使用面３と第二使用面５とにより構成し、該第一使用面３と第二使用面５とを相互に異なる素材により形成する。
【図面の簡単な説明】
【００２３】
【図１】本考案による布巾の一例を示す斜視図である。
【図２】本考案による布巾の別の一例を示す斜視図である。
【図３】本考案による布巾の更に別の一例を示す斜視図である。
【図４】本考案による布巾の更に別の一例を示す斜視図である。
【図５】本考案による布巾の更に別の一例を示す斜視図である。
【符号の説明】
【００２４】
　１　　使用面
　３　　第一使用面
５　　第二使用面
７　　隙間
９　　吊下げ紐
１１　内部
【図２】
0003099705.tif 000003
【図１】
0003099705.tif 000004
【図３】
0003099705.tif 000005
【図４】
0003099705.tif 000006
【図５】
0003099705.tif 000007
(57)【要約】
【課題】良質の短い板の有効利用が図れると共に、コストダウンが図れる。
【解決手段】塔婆１は、良質な短い複数の板２、３、４を接合して良質な所定長さの板に形成されて製作されている。
【選択図】　　　図１
0003099793.tif 000002
【実用新案登録請求の範囲】
【請求項１】
　良質な短い複数の板を接合して良質な所定長さの板に形成されて製作されたことを特徴とする塔婆。
【考案の詳細な説明】
【技術分野】
【０００１】
本考案は塔婆に関する。
【背景技術】
【０００２】
従来、廃材となるような木材の有効利用を図って塔婆を製作したものとして、例えば特許文献１及び２が挙げられる。
【０００３】
特許文献１は、木板の節、傷等のある悪い部分を切断して除去し、切断されたそれぞれの切断面を互いに噛み合う鋸歯状の凹凸面に形成し、両方の凹凸面を噛み合わせると共に接着剤を介して一体に固定して塔婆を製作している。
【０００４】
特許文献２は、短い板を接合して長尺の木板とし、この木板の両面に良質のツキ板を貼り合わせて塔婆を製作している。
【０００５】
【特許文献１】実開昭６０−１４７８２号公報
【特許文献２】実用新案登録第３０３７６６２号
【考案の開示】
【考案が解決しようとする課題】
【０００６】
特許文献１は、所定の長さの木板を使用し、節、傷等を除去して製作するものであり、良質な短い板の有効使用については何ら考慮されていない。
【０００７】
　特許文献２は、短い板の有効利用を図っており、短い板を接合した長尺の木板の両面に良質のツキ板を貼り合わせるので、見栄えが良く、高価な木板を使用した印象を与えるという特徴を有する。しかし、接合した木板の両面にツキ板を貼り合わせるので、コスト高になる。
【０００８】
本考案の課題は、良質の短い板の有効利用が図れると共に、コストダウンが図れる塔婆を提供することにある。
【課題を解決するための手段】
【０００９】
上記課題を解決するための本考案は、良質な短い複数の板を接合して良質な所定長さの板に形成されて製作されたことを特徴とする。
【考案の効果】
【００１０】
塔婆は、良質な短い複数の板を接合して良質な所定長さの板に形成されるので、良質の短い板を有効に生かせる。また良質な短い板を接合したのみであるので、コストダウンが図れる。
【考案を実施するための最良の形態】
【００１１】
本考案の塔婆の一実施の形態を図１により説明する。良質の短い板２、３、４を順次接着して接合し、塔婆を製作するに必要な長さ及び幅の長尺の木板して塔婆１を製作する。ここで、上方の短い板４には、例えば「南無阿弥陀仏」等の仏教用語を記載するので、できるだけ短い板の内でも比較的長い板を使用するようにするのが好ましい。
【００１２】
良質な短い板２、３、４等は、そのままでは利用の範囲が少なく、チップ材（紙の原料）若しくは廃材となってしまうのが現状である。この良質な短い板２、３、４を接着して接合し、長い塔婆１ができるので、良質の短い板２、３、４等を有効に生かせる。また単に良質な短い板２、３、４を接合したのみであるので、コストダウンが図れる。
【００１３】
ところで、伐採した原木からは、長い板と短い板ができる。長い板はそのまま使え、本実施の形態においては短い板も全面的に使える。その結果、１本の木からできるのは、今までの長い分の他に短い板を加算した約２５％増の量となり、伐採量がそれだけ少なくて済む。この伐採量が少なくなっただけ、自然環境にも優しい塔婆と言える。
【図面の簡単な説明】
【００１４】
【図１】本考案の塔婆の一実施の形態を示す斜視図である。
【符号の説明】
【００１５】
１　　塔婆
２、３、４　　短い板
【図１】
0003099793.tif 000003
(57)【要約】【課題】魚がジグに食いついた時、釣り針が魚にかかる率を高くし、更に１つのジグで様々なパターンの動きが可能な釣り用ジグを提供する。【解決手段】上記目的を達成するために、本考案における釣り用ジグのアイは、アイを釣り針などがからみ合わない位置に数カ所に装備した。【選択図】　図１
0003099725.tif 000002
【実用新案登録請求の範囲】
【請求項１】
釣り用ジグの頭部側、尾部側、背部側の３箇所に位置する釣り用ジグのアイ
【請求項２】
釣り用ジグの頭部側、尾部側、腹部側の３箇所に位置する釣り用ジグのアイ
【請求項３】
釣り用ジグの頭部側、尾部側、背部側、腹部側の４箇所に位置する釣り用ジグのアイ
【考案の詳細な説明】
【０００１】
【考案の属する技術分野】
本考案は釣り用ジグの釣り糸や釣り針を連結する部分のアイに関するものである。
【０００２】
【従来の技術】
従来の釣り用ジグは、釣り糸を連結する頭部側のアイと、釣り針を連結する尾部側のアイとの２箇所のアイを有する。
【０００３】
【考案が解決しようとする課題】
【０００２】に述べたように、従来の頭部側と尾部側の２箇所のアイだけであると、魚がジグに食いついた時、釣り針が魚にかからない率が高くなる問題を有していた。特に、長いジグの場合その率は更に高くなる。
【０００４】
海の中でのジグの動きは、釣り糸をどこに結ぶかで大きく相違がでる。従来のように２箇所のみのアイであると、ジグの動きがワンパターンになりがちである問題を有していた。
【０００５】
本考案は、従来の技術の有するこの様な問題点に鑑みてなされたものであり、その目的とするところは、より魚が釣り針にかかる率を高くし、ワンパターンになりがちなジグの動きを、ジグの種類を変えずに可能にする釣り用ジグを提供しようとするものである。
【０００６】
【課題を解決するための手段】
上記目的を達成するために、本考案における釣り用ジグのアイは、アイを釣り針などがからみ合わない場所に数カ所に装備した。
【０００７】
【考案の実施の形態】
ジグの頭部、尾部の他に背部にもアイを設置し、ジグの頭部または尾部または背部のアイに釣り糸を装着し、結ばなかったアイに釣り針やブレードを装着する。
【０００８】
【０００８】の背部のアイは腹部でも良いこととする。
【０００９】
【考案の効果】
本考案のジグはアイが背部にも装備されているので、頭部のアイに釣り糸を装着し、尾部と背部のアイに釣り針を結ぶことができるのでジグがどんな動きをしても、魚が釣り針にかかる率は高くなる。
釣り針だけでなくブレードも装着できるので、魚へのアピール度を増すことができる。
【００１０】
釣り糸を頭部、尾部、背部のどこのアイにでも装着することができ、１つのジグで様々な動きが可能になるので、時間、場所、対象魚に合わせた動きが可能である。
【００１１】
【図面の簡単な説明】
【図１】本考案の頭部側、尾部側、背部側にアイを有する釣り用ジグの右側面図である。
【図２】本考案の頭部側、尾部側、背部側にアイを有する釣り用ジグの平面図である。
【図３】本考案の釣り用ジグの頭部側、尾部側、背部側にアイを有する釣り用ジグの正面図である。
【図４】本考案の釣り用ジグの頭部側、尾部側、背部側にアイを有する釣り用ジグの背面図である。
【図５】本考案の釣り用ジグの頭部側、尾部側、腹部側にアイを有する釣り用ジグの右側面図である。
【図６】本考案の釣り用ジグの頭部側、尾部側、腹部側にアイを有する釣り用ジグの平面図である。
【図７】本考案の釣り用ジグの頭部側、尾部側、腹部側にアイを有する釣り用ジグの正面図である。
【図８】本考案の釣り用ジグの頭部側、尾部側、腹部側にアイを有する釣り用ジグの背面図である。
【符号の説明】Ａ　本考案の釣り用ジグのアイ
【図１】
0003099725.tif 000003
【図２】
0003099725.tif 000004
【図３】
0003099725.tif 000005
【図４】
0003099725.tif 000006
【図５】
0003099725.tif 000007
【図６】
0003099725.tif 000008
【図７】
0003099725.tif 000009
【図８】
0003099725.tif 000010
【手続補正書】
【提出日】平成15年9月12日(2003.9.12)
【手続補正１】
【補正対象書類名】明細書
【補正対象項目名】実用新案登録請求の範囲
【補正方法】変更
【補正の内容】
【実用新案登録請求の範囲】
【請求項１】
釣り用ジグにおいて、その頭部側、尾部側、背部側の３箇所にアイを取り付けた釣り用ジグ
【請求項２】
釣り用ジグにおいて、その頭部側、尾部側、腹部側の３箇所にアイを取り付けた釣り用ジグ
【請求項３】
釣り用ジグにおいて、その頭部側、尾部側、背部側、腹部側の４箇所にアイを取り付けた釣り用ジグ
(57)【要約】【課題】乾電池を利用し、小形軽量化及び携帯性を図り、小消費電力の交流１００ボルト機器を短時間使用可能にした、省エネルギータイプの直流交流変換器。【解決手段】直流交流変換器本体１は電源となる乾電池２、電界効果トランジスタ３１ランス４、整流回路５、周波数変換回路６、出力トランジスタ７、ＯＮ／ＯＦＦスイッチ９、出力表示ランプ１０、交流出力ソケット１１、乾電池ケース１２で構成した。【選択図】　　　　図２
0003099724.tif 000002
【実用新案登録請求の範囲】
【請求項１】
一般市販の乾電池を使用し、その直流電源から交流１００ボルトが得られることを特徴とする直流交流変換器。
【考案の詳細な説明】
【００１】
【考案の属する技術分野】
本考案は、小型乾電池を電源とし、変換回路により、交流１００ボルトを出力し、小消費電力の交流１００ボルト機器を短時間使用出来る、直流交流変換器に関するものである。
【０００２】
【従来の技術】
交流１００ボルトは一般家庭用電源であり、交流１００ボルト対応機器を屋外で使用する際などで直流交流変換器は十分に成果をあげている。
【０００３】
【考案が解決しようとする課題】
しかし、前記直流交流変換器が電源とする直流電源は大型大容量の充電池であったり、車輛のバッテリー電源等がある。確かに容量も大きく、十分に家庭用機器を使用出来るが、小消費電力の機器を必要短時間で使用するには、大きさ、及び重さ等の面で携帯性に欠け使用しにくい。
【０００４】
本考案は、このような問題点を解決する直流交流変換器を提示することを目的とする。
【０００５】
【課題を解決するための手段】
本考案は、入手が容易な流通量が多い市販の乾電池を電源とし、該乾電池の直流電源を変換回路を介し１００ボルトを取り出すことを特徴とする。
【０００６】
乾電池は一般に使用されている１．５ボルト用アルカリ乾電池を使用する。
【０００７】
アルカリ乾電池は、その大きさにより単１形から単５形まであるが、本考案の直流交流変換器は小形で携帯性が良く、また必要かつ短時間交流１００ボルトで動作する機器の利用をするため、単３形または単４形の乾電池６本を使用し直流９ボルトを電源電圧として考えられる。
【０００８】
この事により、屋外で、また交流１００ボルト電源がない場所でも必要かつ短時間で利用価値が生まれる。小消費電力機器例えば携帯電話、ビデオカメラ、デジタルカメラ等の充電シェーバーの利用、及び５ワット程度の照明器具の利用等目的に応じた対応が出来る。
【０００９】
つまり電源である乾電池の容量には限りがあり、長時間交流１００ボルトの電圧を出力することは出来ない。したがって使用出来る機器も小消費電力のものに限られる。
【００１０】
しかしながら、大型の直流交流変換器やコード付きのものとは、本考案の直流交流変換器は、小型軽量、携帯性の良さ、使い易さ等で一線を画し、１００ボルトの電源がない所での一時的補充使用や緊急時の小消費電力機器の利用には威力を発揮する。
【００１１】
【考案の実施と形態】
本考案の直流交流変換器を図によって説明する。
図１は、直流乾電池電源から交流１００ボルトを出力するまで流れを示す構成原理図である。
直流交流変換器本体１は乾電池２、及び変換回路である電界効果トランジスタ３、トランス４、整流回路５、周波数変換回路６、出力トランジスタ７によって構成されている。前記乾電池２は、小型で携帯性の良さ、及び変換効率等を考慮し単３形を４本で６ボルトでも可能であるが、この場合は６本使用で９ボルトとしている。
【００１２】
直流乾電池電源は、変換回路の一部で電解効果トランジスタ３に入り、トランス４により昇圧され、整流回路５を経て周波数変換回路６に入り方形波電圧が作られ出力トランジスタ７を通して、交流１００ボルト８が得られる。
【００１３】
交流１００ボルト出力８は、直流交流変換器全般にある正確な正弦波形出ないため、厳密な正弦波を必要とする機器には不向きであるが、本考案の直流交流変換回路が使用対象としている小消費電力機器にはこのような正弦波を必要とする機器は非常に少ないため問題にはらない。
【００１４】
【実施例】
本考案の実施例を図２によって説明する。
直流交流変換器本体１は携帯性を考慮し小型軽量化を図り下部に乾電池ケース１２を一体化している。
【００１５】
さらに直流交流変換器本体１には、ＯＮ／ＯＦＦスイッチ９、出力表示ランプ１０、交流出力ソケット１１を設けている。
【考案の効果】
以上説明の通り本考案の直流交流変換器は、従来の大型で大重量の直流交流変換器と違い、小形軽量で携帯性も良いため使用場所等も制限されず、容易に小消費電力の１００ボルト機器の利用が出来、また省エネルギー機器としても確実に効果を上げることが出来る。
【図面の簡単な説明】
【図１】本考案の直流交流変換器の構成図である。
【図２】本考案の直流交流変換器の実施例を示す斜視図である。
【符号の説明】
１：直流交流変換器本体
２：乾電池
３：電界効果トランジスタ
４：トランス
５：整流回路
６：周波数変換回路
７：出力トランジスタ
８：交流１００ボルト出力
９：ＯＮ／ＯＦＦスイッチ
１０：出力表示ランプ
１１：交流出力ソケット
１２：乾電池ケース
【図１】
0003099724.tif 000003
【図２】
0003099724.tif 000004
【手続補正書】
【提出日】平成15年9月11日(2003.9.11)
【手続補正１】
【補正対象書類名】明細書
【補正対象項目名】実用新案登録請求の範囲
【補正方法】変更
【補正の内容】
【実用新案登録請求の範囲】
【請求項１】
一般市販の乾電池を収納するケースと直流を交流に変える変換回路及び交流出力ソケット並びに電源スイッチ、表示ランプ等を一体に形成し、前記乾電池の直流電源から交流１００ボルトが得られるように構成したことを特徴とした直流交流変換器。
(57)【要約】【課題】　肩こりは冷えや使いすぎで、筋肉の血行が悪くなり、おこると考えられる。運動などでほぐすのがいいが、事務織などそれもかなわないことがある。　そんなとき、従来からある貼るタイプのものはかぶれるし、塗るタイプは無臭とうたっていても匂いがある。磁石タイプも磁石の効力はあるのにかぶれるので捨てることになる。かぶれず、匂わず、経済的に肩こりを解消できるようにするのがこの課題です。【解決手段】　肩こりを解消するには、筋肉の血行を良くすることが解決の早道と考えた。それには暖めることが一番の早道であるので、下着にクリップで留めるだけでも、暖めることができるようフリースを使用し、ミニカイロや布に縫いこんだ磁石を挿入することもできるようにした。これにより、かぶれたり、匂ったりすることなく肩こりが解消できる。また磁石も繰り返し使用が可能なので、経済的である。【選択図】　図３
0003099729.tif 000002
【実用新案登録請求の範囲】
【請求項１】
下着にクリップ１で留めて、肩にあたる部分にカイロ２や布に縫いこんだ磁石３等を入れられるようにした健康グッズ
【考案の詳細な説明】
【考案の詳細な説明】
【考案が解決しようとする課題】
【０００１】　肩こりは冷えや使い過ぎで筋肉の血行が悪くなりおこると考えられるので、血行を良くするには、暖めるか、磁石等で刺激を与えるのがよいが、従来からある貼るタイプはかぶれるし、塗るタイプは匂いがあるし、磁石タイプも磁石の効力は衰えていないがかぶれるので、使い続けるには支障がある。
【課題を解決するための手段】
【０００２】　上記目的を達するために、暖めたいときはカイロを入れ、磁石を使いたいときは磁石を入れ、何も挿入しなくてもそれだけでも暖かい素材（フリース）を使って、肩の血行を良くするようにした。
【考案の効果】
【０００３】　かぶれない、匂わない、磁石を長期にわたって使うことができ、経済的に肩こりを解消できる。
【図面の簡単な説明】
【図１】“肩思い”を装着し、前から見た状態の図である。
【図２】“肩思い”を装着し、後ろから見た図である。
【図３】“肩思い”の斜視図である。
【符号の説明】
　　　　１　　クリップ　　　　２　　カイロ　　　　３　　磁石　　　　４　　全体
【図１】
0003099729.tif 000003
【図２】
0003099729.tif 000004
【図３】
0003099729.tif 000005
(57)【要約】【課題】台車、カートを、物品を積み運ぶだけでなく、色々な商品販売移動が出来る台車、カートを課題提供することにある。【解決手段】台車、カートに物品乗せ展示台を脱着する構成にすることで解決手段として提供する。【選択図】　　図１
0003099722.tif 000002
【実用新案登録請求の範囲】
【請求項１】
商品陳列台を台車、カートに脱着出来る構造を特徴とする商品陳列台、台車
、カート。
【考案の詳細な説明】
【０００１】
【考案の属する技術分野】
本考案は台車、カートに関する。
【０００２】
【従来の技術】
従来は買物用、商品を積む、台車、カートが有り、積むことでは利点がある
。
【０００３】
【考案が解決しようとする課題】
しかしながら、台車、カートを商品を積んで運ぶだけではなく、商品陳列台を台車、カートを脱着出来る構造にすることで、一台の商品陳列販売移動ワ
ゴン車となることで解決手段とした。
【０００４】
【課題を解決するための手段】
脱着出来る商品陳列台が、一台のワゴン台として独立されている物が、台車
、カートに脱着することで解決手段とした。
【０００５】
【考案の実施の形態】
本考案の商品陳列台、台車、カートは、台車、カートを改良構造とし、商品陳列台、ワゴン台を乗せ替え（脱着）を、ボルト熔接等で固定されることで
、一台の商品陳列販売移動ワゴン車となる形態である。
【０００６】
台車、カートに乗せられる商品陳列台、ワゴンは商品の色々な販売によるワ
ゴン台となり、台車、カートに乗せ替え（脱着）が出来る形態となる。
商品陳列台下部に収納庫も設けられる。
【０００７】
【考案の効果】
本考案、商品を陳列台に乗せて、色々な場所に移動販売出来る効果がある。
【図面の簡単な説明】
【図１】本考案に係る商品陳列台、台車、カートの概観図である。
【符号の説明】
１　　　　商品陳列台
２　　　　台車、カート
３　　　　収納庫
【図１】
0003099722.tif 000003
【手続補正書】
【提出日】平成15年9月3日(2003.9.3)
【手続補正１】
【補正対象書類名】明細書
【補正対象項目名】実用新案登録請求の範囲
【補正方法】変更
【補正の内容】
【実用新案登録請求の範囲】
【請求項１】
商品陳列台を脱着できる構造を有する台車を特徴とする商品陳列ワゴン。
(57)【要約】
【目的】　ブラインドを下から上に上げられるようにして、窓の上部から射し込む明りを十分取り入れられるようにすると共に、外の景色や夜空を見やすくする。
【構成】　窓枠（Ａ）の上部中央に滑車機構（１）を装着し、ブラインド（２）の基幹部（３）の中心に引き紐（４）を固定すると共に、この紐を滑車を経由して前方へ垂らし、且つその結び止め用のストッパー（５）を備えてなる。
【選択図】　図１
0003099728.tif 000002
【実用新案登録請求の範囲】
【請求項１】
　窓枠（Ａ）の上部中央に滑車機構（１）を接着または螺着し、ブラインド（２）の基幹部（３）の中心に引き紐（４）固定すると共に、この紐を滑車を経由して前方へ垂らしてなるブラインドの開閉装置。
【考案の詳細な説明】
【考案の詳細な説明】
【技術分野】
【０００１】　本考案は、窓に取り付けて使用する遮光用のブラインドに関するものである。
【背景技術】
【０００２】　従来より、硝子窓の室内側に取り付けて使用する遮光用のブラインドは、明る過ぎる外の光を和らげ、且つ室内を外から見られないようにすることができると共に、室内インテリアとしても広く利用されている。また、ブラインドを上げたり下げたりすることによって、室内の明るさを調節することが行われている。
【考案が解決しようとする課題】
【０００３】　しかしながら、上記ブラインドの上げ下げを行う機構は、すべて上から下に下ろすようになっている。
　即ち、引き紐を引くとブラインドは巻き上げられて、その最下部から開口されるようになっている。そのまま全開することもできるし、途中で止めて半開にしておくこともできる。
【０００４】　一般的な使用方法では特に問題ないのであるが、次のような場合にやや問題が生じる。
　ブラインドの上半分を開口させて硝子窓の上部の明りを取り入れたい場合に、従来のブラインドでは不可能となる。
　例えば、風呂場の硝子窓のブラインドの上半分を開口できるようにしておけば、覗かれる心配なしに外の景色や夜空の星を見ることができ、露天風呂気分で入浴することができる。また、プライベートの室内やアパート室内、病室などの場合でも同様である。また、ブラインドの多数枚のスラット部分を清掃する場合でもブラインド全体を最下部に下ろして清掃できるから、楽々と丁寧にきれいに清掃することができる。
【考案の実施の形態・実施例】
【０００５】　そこで本考案は、従来とほぼ同様の引き紐操作のみで、ブラインドを下から上に上げることができるように構成してなるものである。
【０００６】　窓枠（Ａ）の上部中央に滑車機構（１）を接着または螺着し、ブラインド（２）の基幹部（３）の中心部に引き紐（４）を固定すると共に、この紐を滑車を経由して前方へ垂らしてなるものである。
【０００７】　窓枠Ａ）に対して全閉状態でブラインド（２）を滑車機構（２）を介して取り付ければ従来同様の遮光状態となる。
　次いで、引き紐（４）を緩めればブラインド（２）の自重によって下に下がる。最後まで下げれば全開状態となるし、途中で止めれば半開状態となる。この時、引き紐（４）の先端をストッパー（５）に結んでおけば下がることはない。また、その半開の程度は状況に応じて自由に決めることができる。
【考案の効果】
【０００８】　ブラインドを上から下に向けて開口できるから、窓の上部の明りを室内に十分取り入れることができると共に、外から覗かれる心配なしに外の景色や夜空の星を見たりすることができる。また、ブラインド全体を窓枠の最下部に下ろすことができるので、面倒なブラインドのスラット部分の清掃も脚立に乗らずに楽々ときれいに行うことができる便利にして有益な考案を提供するものである。
【図面の簡単な説明】
【図１】　　本考案のブラインド全開状態を示す正面図
【図２】　　本考案のブラインド半開状態を示す正面図
【図３】　　従来のブラインドの半開状態を示す正面図
【符号の説明】
　　　　　１　　　滑車機構
　　　　　２　　　ブラインド
　　　　　３　　　基幹部
　　　　　４　　　引き紐
　　　　　５　　　ストッパー
　　　　　Ａ　　　窓枠
【図１】
0003099728.tif 000003
【図２】
0003099728.tif 000004
【図３】
0003099728.tif 000005
(57)【要約】
【課題】ダクタイル鋳鉄管等の管材の内面の保護キャップに関し、管材の内部に異物が侵入することを防止するとともに、管材の内面の塗膜の劣化を防止する機能を有した保護キャップを提供すること。
【解決手段】保護用キャップ２は、鋳鉄管等の金属製の管材の端に装着し得る形状に成型されている。前記管材の内面には塗料が塗布されて塗膜が形成されている。保護用キャップは、不透明樹脂製で、管端に装着して係止するための凸部が成型されている。
前記保護キャップ２は太陽光を透過しない素材とすることによって光抑制手段を構成する。紫外線に対する透過率が低い素材が好ましい。このような構成によって、保護キャップ２によって太陽光や紫外線を透過させないので、管の内面の塗装を劣化させることが防止される。
【選択図】      図１
0003099749.tif 000002
【実用新案登録請求の範囲】
【請求項１】
管材の開口端に係止する係止手段と、管材の外部から内面への光の入射を抑制する光抑制手段とを備え、前記光抑制手段は前記係止手段によって管材の開口端に係止され得るように構成したことを特徴とする管材の内面保護用キャップ。
【請求項２】
管材の開口端の内径とほぼ同径の凸部と、管材の開口端の内径より大きい径の鍔部とを一体に形成し、少なくとも前記凸部は、管材の外部から内面への光の入射を抑制する光抑制素材によって形成したことを特徴とする請求項１に記載の管材の内面保護用キャップ。
【考案の詳細な説明】
【技術分野】
【０００１】
本考案は、鋳鉄管等の金属製の管材の保護に関するものである。
【背景技術】
【０００２】
従来より、鋳鉄管等の金属製の管材を、錆とり等するために管の外面にショットピーニングを施したり、保管したり、搬送したりする場合には、管の内部に異物が侵入することを防止するために、透明樹脂性の保護キャップを装着することが行われていた。
　例えば、ダクタイル鋳鉄管等の鋳造後に、この管の外面に軽金属を溶射することによって保護膜を形成することが行われている。そして、このような溶射処理の前段階として、管の外面にショットピーニングを施して錆とりなどが行われる。
　そして、ショットピーニングと溶射とを施すために管どうしを連続させる場合には、保護キャップを管材の開口に押し込んだ状態ではめ込むことで開口を塞ぎ、管材の外面にショットピーニングを施すときにその管材の内部にショット粒が入り込まないようにするものである。（例えば、特許文献１の従来技術の欄参照）
【０００３】
【特許文献１】特開２００１−２３４３１９号公報
【考案の開示】
【考案が解決しようとする課題】
【０００４】
ところが、上述したような従来の保護キャップは、透明であるため屋外に載置した場合等においては、保護キャップを通過した光が、管材の内面に照射されるので、管材の内面に塗布された塗料を劣化させるという問題があった。
【０００５】
そこで、本考案は、管材の内部に異物が侵入することを防止するとともに、管材の内面の塗膜の劣化を防止する機能を有した保護キャップを提供することを目的としてなされたものである。
【課題を解決するための手段】
【０００６】
本考案にかかる管材の内面保護用キャップにおいては、管材の開口端に係止する係止手段と、管材の外部から内面への光の入射を抑制する光抑制手段とを備え、前記光抑制手段は前記係止手段によって管材の開口端に係止され得るように構成するという手段を講じた。
【考案の効果】
【０００７】
　本考案によれば、管材の外部から内面への光の入射を抑制する光抑制手段を備えたので、管材の内面の塗膜の劣化を保護することができる。
【考案を実施するための最良の形態】
【０００８】
以下に、本考案にかかる管材の内面保護用キャップの最良の形態を説明する。
　本考案にかかる管材の内面保護用キャップ２は、鋳鉄管等の金属製の管材の端に装着し得る形状に成型されている。
　前記管材の内面には塗料が塗布されて塗膜が形成されている。この塗膜は、太陽光線等の紫外線等が直接照射すると劣化する。
　本考案の管材の内面保護用キャップ２は、不透明樹脂製で、管端に装着して係止するための凸部が成型されている。
【０００９】
　この管材の内面保護用キャップ２の凸部の外径は、前記管材の端部の内径とほぼ同じ寸法に成型されており、前記管材の内面保護用キャップ２を前記管材の開口に押し込んで装着できるように構成されている。
　前記管材の内面保護用キャップ２は太陽光を透過しない素材とすることによって光抑制手段を構成する。紫外線に対する透過率が低い素材が好ましい。
　このような構成によって、管材の内面保護用キャップ２によって太陽光や紫外線を透過させないので、管の内面の塗装を劣化させることが防止される。
【実施例１】
【００１０】
　以下に、実施例を示して説明する。
　図１において、
１は口径100φのダクタイル鋳鉄管であり、内面には例えばエポキシ樹脂塗料が粉体塗装されている。２は管材の内面保護用キャップであり、ポリエチレン樹脂に光吸収材を混入して図示した形状に成型されている。この保護キャップ２は、凸部21と、鍔部22とが形成されており、凸部21が前記ダクタイル鋳鉄管１の開口に装着可能に形成されている。
　前記保護キャップ２の形状は、図示した形状に限らず、種々の形状とすることができる。
【００１１】
　以上の構成の保護キャップ２の凸部21を、対象のダクタイル鋳鉄管１の管端の開口に押し込んで、鍔部22が鋳鉄管のフランジに当接する状態で装着する。
　この状態で、鋳鉄管１を屋外に保管した場合でも、太陽光は前記保護キャップ２によって減衰・抑制されて管内へ透過する光量は少なくなる。
　従って、管の内面に塗布された塗膜の劣化は抑えられ、塗膜を保護することができるのである。
　また、従来通り、管内へゴミ等の異物が入ることを防止できる。
　なお、光抑制手段としては、保護キャップの素材を光を透過しにくい素材とすることで実現できるが、別途光抑制シート材等を付加してもよい。
【図面の簡単な説明】
【００１２】
【図１】本考案にかかる管材の内面保護用キャップの実施の形態の構成を示した構成図である。
【符号の説明】
【００１３】
１　ダクタイル鋳鉄管、管材
２　管材の内面保護用キャップ
【図１】
0003099749.tif 000003
(57)【要約】
【課題】　人体やペット用動物の体のツボを押圧するための突起部を備えたバイブレータ付ヘアーブラシを提供すること。
【解決手段】　柔軟性を有する多数本のブラシ片１６が所定間隔にて植設されたブラシ本体１内にバイブレータ用モータ装置２０を設け、そのブラシ本体の握り部４にモータ装置２０に電力を供給する乾電池ａを収容するように構成したバイブレータ付ヘアーブラシＢにおいて、ブラシ本体１の適宜位置にツボを押圧するための突起部３を設けた。
【選択図】　図２
0003099745.tif 000002
【実用新案登録請求の範囲】
【請求項１】
　柔軟性を有する多数本のブラシ片が所定間隔にて植設されたブラシ本体内にバイブレータ用モータ装置を設け、そのブラシ本体の握り部に該モータ装置に電力を供給する蓄電池を収容するように構成したバイブレータ付ヘアーブラシにおいて、前記ブラシ本体の適宜位置にツボを押圧するための突起部を設けたことを特徴とするバイブレータ付ヘアーブラシ。
【請求項２】
　前記突起部が前記ブラシ本体の長手方向の先端に設けられていることを特徴とする請求項１に記載のバイブレータ付ヘアーブラシ。
【考案の詳細な説明】
【技術分野】
【０００１】
　本考案は、バイブレータ付ヘアーブラシに関するものである。
【背景技術】
【０００２】
　バイブレータ付ヘアーブラシは、ブラシ本体に内蔵されたバイブレータ用モータ装置による振動をブラシ片に伝えて当該ブラシ片の先端に接触する人体の頭皮や毛髪を刺激することにより、血行の促進や育毛の助成を施すように工夫された物品である。
【０００３】
　病気治療、痛みや疲労の緩和・解消、心身のリフレッシュ等のために人体のツボを揉んだり、マッサージを施すことは古くから行なわれており、棒状の押し具等によってツボを適宜押圧する方法が、民間療法として知られている。
【０００４】
　ヘアーブラシとツボ押し具とは、別物品であることによるものと思われるが、ツボ押し具を兼用したバイブレータ付ヘアーブラシは見当たらない。
【特許文献１】特開平１０−３２７９３６号公報
【考案の開示】
【考案が解決しようとする課題】
【０００５】
　この考案の目的は、人体やペット用動物の体のツボを押圧するための突起部を備えたバイブレータ付ヘアーブラシを提供することにある。
【課題を解決するための手段】
【０００６】
　請求項１に記載の考案は、柔軟性を有する多数本のブラシ片が所定間隔にて植設されたブラシ本体内にバイブレータ用モータ装置を設け、そのブラシ本体の握り部に該モータ装置に電力を供給する蓄電池を収容するように構成したバイブレータ付ヘアーブラシにおいて、前記ブラシ本体の適宜位置にツボを押圧するための突起部を設けたことを特徴とする。
【０００７】
　請求項２に記載の考案は、請求項１に記載のバイブレータ付ヘアーブラシにおいて、前記突起部が前記ブラシ本体の長手方向の先端に設けられていることを特徴とするものである。
【考案の効果】
【０００８】
（請求項１の考案）
　このバイブレータ付ヘアーブラシは、ブラッシングをする際に首筋や肩等の任意の部位を振動作用を有する突起部により押圧してマッサージを施すことができるので、ブラシとしての整髪機能に加えて、痛みや疲労の緩和・解消等に役立つという副次的効果がある。
【０００９】
（請求項２の考案）
　このバイブレータ付ヘアーブラシは、ツボを押圧する突起部をブラシ本体の先端に設けているので、首筋や肩等の部位に押し当て易く、使い勝手が良い。
【考案を実施するための最良の形態】
【００１０】
　以下に、本考案の最良の形態例を図面に基づいて説明する。図１はバイブレータ付ヘアーブラシの正面図、図２は同、縦断側面図、図３は同、横断面図、図４はブラシ本体の本体部の正面図である。
【００１１】
　図１に示す本考案のバイブレータ付ヘアーブラシＢは、人体或いは犬等のペット用動物の体のツボを押圧するための突起部３を備えている。このヘアーブラシＢのブラシ本体１は、二つに分割して形成された合成樹脂製の本体部２と前枠部１０とからなり、それらを合着して一体化するように設けられている。
【００１２】
　その本体部２は浅い舟形形状に形成されており、長手方向の先端に前記突起部３の半割り部３ａを設け、後端に握り部４の半割り部４ａを一体に形成している。本体部２の中央後面２ａには多数のイボ状突部５を一体に形成し、その中央内面２ｂにはバイブレータ用モータ装置２０を固定するための支持片６，６が一体に形成されている。また、握り部４の半割り部４ａには、バイブレータ用モータ装置２０に電力を供給する蓄電池としての乾電池ａを収容するための電池室７を設け、その電池室７の側壁７ａ，７ｂに一対の導電性端子片９ａとバネ９ｂとが対向して配設されている。
【００１３】
　バイブレータ用モータ装置２０については、出力軸２０ａに錘２１を偏心させた位置にて固定し、出力軸２０ａの回転作動により振動が発生するように構成されている。２２は本体部２の側部に取り付けられた電源スイッチである。
【００１４】
　上記前枠部１０は、長手方向の先端に前記突起部３の半割り部３ｂを設け、電池室７が開放されるように本体部２よりも短かく設けられており、中央にほぼ楕円形状の開口部１１が形成されている。その開口部１１には、柔軟性を有する多数本のブラシ片１６が所定間隔にて植設されたブラシ部材１５が内側から嵌着されている。各々のブラシ片１６の先端は、球形に形成されている。
【００１５】
　２５は前記突起部３に被着されたゴム製キャップである。２６は電池室７に着脱自在に設けられたカバーである。このカバー２５は、握り部４の一部を構成するように設けられており、前記前枠部１０の後端内面に形成された係合凹部１２に係合可能な係止片２７と、本体部２の後端上面に形成された係止孔８に挿入可能な舌片２８とを設けている。
【００１６】
　つぎに、上記構成になる本考案のバイブレータ付ヘアーブラシＢの作動及び使用方法について述べる。
（１）まず、電源スイッチ２２をオンにすると、ブラシ本体１に内蔵されたバイブレータ用モータ装置２０の出力軸２０ａの回転作動により振動が発生する。その振動はブラシ片１６に伝えられて当該ブラシ片１６の先端に接触する人体の頭皮や毛髪を刺激することにより、血行の促進や育毛の助成が促される。
（２）また、首筋や肩等の任意の部位に振動する突起部３をあてがえば、その突起部３により当該部位が押圧されてマッサージを施すことができるので、痛みや疲労の緩和・解消等に大いに役立つ。
【００１７】
　なお、このバイブレータ付ヘアーブラシＢは、人は勿論のこと、犬等のペット用動物にも使用することができる。
【図面の簡単な説明】
【００１８】
【図１】バイブレータ付ヘアーブラシの正面図
【図２】同、縦断側面図
【図３】同、横断面図
【図４】ブラシ本体の本体部の正面図
【符号の説明】
【００１９】
Ｂ・・・バイブレータ付ヘアーブラシ
１・・・ブラシ本体
２・・・本体部
３・・・突起部
４・・・握り部
１０・・・前枠部
１６・・・ブラシ片
２０・・・バイブレータ用モータ装置
ａ・・・乾電池（蓄電池）
【図１】
0003099745.tif 000003
【図２】
0003099745.tif 000004
【図３】
0003099745.tif 000005
【図４】
0003099745.tif 000006
(57)【要約】
【課題】　手を汚すことなく簡易トイレおよびポータブルトイレ用屎尿袋に入った屎尿を水洗便器等に容易に投棄することを可能する
【解決手段】　簡易トイレおよびポータブルトイレの屎尿袋の中に入った屎尿を水洗便器等に手を汚すことなく捨てることを容易にするために袋の底から袋の開口部に至るヒモまたは帯を袋の底に固定する。屎尿を捨てるには、ヒモ又は帯と袋の開口部を保持しながら水洗便器の上で袋の開口部を離すと、屎尿の重みで屎尿は開口部から水洗便器の中に落ちる。【実用新案登録請求の範囲】
【請求項１】
　簡易トイレまたはポータブルトイレの屎尿袋の中に入った屎尿を水洗便器などの投棄場所に手を汚すことなく捨てることを容易にするために袋の底から袋の開口部に至るヒモまたは帯を袋の底に固定したことを特徴とする簡易トイレおよびポータブルトイレ用屎尿袋。
【考案の詳細な説明】
【技術分野】
【０００１】　本考案は、簡易トイレおよびポータブルトイレに関する。
【背景技術】
【０００２】　袋に入った屎尿を水洗便所などの投棄場所に投棄するには袋の開口部を下に向けるために袋を反転しなくてはならない。反転と同時に屎尿が流れ出すので手を汚すことがある。
【考案が解決しようとする課題】
【０００３】　手を汚すことなく袋の中の屎尿を水洗便所などの投棄場所に投棄することを可能とする。
【０００４】　本考案は以上の問題点を解決するためになされたもので、手を汚すことなく屎尿を水洗便所などの投棄場所に容易に捨てることを可能する簡易トイレおよびポータブルトイレ用屎尿袋を提供するものである。
【課題を解決するための手段】
【０００５】　簡易トイレおよびポータブルトイレの屎尿袋の中に入った屎尿を水洗便所等の投棄場所に手を汚すことなく捨てることを容易にするために袋の底から袋の開口部に至るヒモまたは帯を袋の底に固定する。屎尿を捨てるには、ヒモ又は帯と袋の開口部を保持しながら水洗便器等の上で袋の開口部を離すと、屎尿の重みで屎尿は開口部から水洗便器等の中に落ちる。
【考案を実施するための最良の形態】
【０００６】　以下図面を参照しながら、本考案の簡易トイレおよびポータブルトイレ用屎尿袋を説明する。
　図１に示すよに、本考案の簡易トイレおよびポータブルトイレ用屎尿袋は袋の底２から袋の開口部１に至るヒモまたは帯３を袋の底２に固定する。
　図２に示すように屎尿袋をドーナツ状の便座またはポータブルトイレの便バケツに屎尿を受け入れるように装着する。
　水洗便器等の上でヒモまたは帯３を保持しながら袋の開口部１を離すと屎尿の重みで屎尿は水洗便器等の中に落下する。このとき袋を保持する手は常に袋の開口部１より上に位置するので屎尿で手を汚すことがない。
【考案の効果】
【０００７】　本考案は、以上に説明したようになるから次のような効果を得ることができる。
　簡易トイレおよびポータブルトイレ用屎尿袋の中の屎尿を手を汚すことなく水洗便器等に投棄することができる。
【図面の簡単な説明】
【図１】　本考案に係わる簡易トイレおよびポータブルトイレ用の屎尿袋の説明図
【図２】　本考案に係わる簡易トイレおよびポータブルトイレ用の屎尿袋からの屎尿の投棄の説明図
【符号の説明】
屎尿袋の開口部・・・・・・・・１
屎尿袋の底・・・・・・・・・・２
ヒモまたは帯・・・・・・・・・３
【図１】
0003099733.tif 000002
【図２】
0003099733.tif 000003
(57)【要約】
【課題】本考案は材木等を釘で仮に止める場合、釘の頭の出が表面より出すぎると、人や物が引っかかり危険である為、出を最小にし、不要時には強く打ち込み２の大きな釘頭で押える事により、材を強く押えることが可能な釘を提供する。
【解決手段】釘頭を胴に沿って二段にし、上部を大きく、下部を小さく形成し普通に釘頭を打ち込んだ時、３の小さな釘頭で止められ、釘頭が浮く事によりあとから釘抜き具の先が入り、釘抜きを安易に行うことが出来る形状の釘で、又強く打ち込んだ時２の大きな釘頭で止めることが出来る強度のある釘として使用出来る構造とする。
【選択図】図１
0003099732.tif 000002
【実用新案登録請求の範囲】
【請求項１】
　普通に打ちこんだ状態で、図２の様に釘頭が浮く事により、あとから釘抜き具の先が入り、釘抜きを安易に行うことが出来る形状の釘。又、不要時には図３の様に打ち込むことが可能な釘を提供する。
【考案の詳細な説明】
【技術分野】
【０００１】
　本考案は、釘抜きが容易に行える二段釘に関するものである。
【背景技術】
【０００２】
　釘頭を二段にし、打ち込んだあとで釘抜き具の先がかかり、抜くことができる構造で実用上十分だった。
【０００３】
　しかし、釘頭が出すぎて危険な事、不要時に打ち込んだ時釘頭が同径の為保持力が弱い欠点があった。
【０００４】
　この改善策とし、釘頭を段階的に大きくし釘頭が必要以上出ない事、打ち込んだ時打ち込みの力により仮止めと本止めの2段階に使用できる。
【考案の開示】
【考案が解決しようとする課題】
【０００５】
　解決しようとする問題点は、従来の二段釘は上下の径が同じか、又は少しの差であったり突出が大きく、これに身体が触れたとき危険であったり、不要時には従来の一般的な釘の様に打ち込む事が出来ないという問題点を有していた。
【課題を解決するための手段】
【０００６】
　本考案は、釘頭を胴に沿って二段にし、上部を大きく、下部を小さく形成し普通に釘頭を打ち込んだ時、小さな釘頭で止められ、又強く打ち込んだ時大きな釘頭で止めることが出来る構造とする。
【考案の効果】
【０００７】
　釘頭が材木等の表面に出すぎず、危険性がなく抜くことも安易であり、不要時又は本止めの時は強く打ち込む事により、大きな釘頭で材木等を押えることが出来、他の釘を打ち直す事なく省力的で強度を得ることが出来る。
【考案を実施するための最良の形態】
【０００８】
　釘の頭部を小から大に段階的に大きくする事で形状がコンパクトになり、製造が安易になる事でコストダウンが出来る。
【実施例１】
【０００９】
　図１は、本考案二段釘の１実施例の形状を示した図である。
【００１０】
　図２の実施例は、普通に打ち込み釘を抜くことが出来る仮釘として使用した図である。
【００１１】
　図3の実施例は、強く打ち込み強度のある一般的な釘として使用した図である。
【図面の簡単な説明】
【００１２】
【図１】二段釘の形状を示した説明図である。
【図２】二段釘の実施方法を示した説明図である。
【図３】二段釘の実施方法を示した説明図である。
【符号の説明】
【００１３】
　１　　胴
　２　　大きな釘頭
　３　　小さな釘頭
【図１】
0003099732.tif 000003
【図２】
0003099732.tif 000004
【図３】
0003099732.tif 000005
【手続補正書】
【提出日】平成15年10月15日(2003.10.15)
【手続補正１】
【補正対象書類名】実用新案登録請求の範囲
【補正対象項目名】全文
【補正方法】変更
【補正の内容】
【実用新案登録請求の範囲】
【請求項１】
釘頭を胴に沿って二段にし、上部を大きくし、すぐ下に下部を小さく形成した釘。